(57)【要約】【課題】回路規模を増大させることなく、多数の表示モードの切り替えが可能な表示装置を提供する。【解決手段】外部から送られる水平同期信号ＨＳＹＮＣに基づいて表示モードを選択（決定）するための同期幅判定回路５００を表示装置に備える。同期幅判定回路５００は、水平同期信号ＨＳＹＮＣの立ち下がりエッジを検出するための立ち下がりエッジ検出回路５１０と、水平同期信号ＨＳＹＮＣの極性を判定するための極性判定回路５２０と、水平同期信号ＨＳＹＮＣの同期幅に相当する期間においてクロック信号ＣＬＫのクロックパルスをカウントするための同期幅カウンタ５３０と、カウント結果としてのカウント値ＣＮＴに基づく表示モードによる画像表示が行われるよう表示制御回路を動作させるための表示モード指示信号ＳＭＯＤを出力するカウンタ数値判定回路５４０とを備える。【選択図】図１
2009037028.tif 000002
【特許請求の範囲】
【請求項１】
複数の表示モードを有し、表示モードを切り替えつつ画像を表示することが可能な表示装置であって、
画像表示のための１または複数の同期信号のレベルが変化するタイミングのうちの所定の２つのタイミングである第１のタイミングと第２のタイミングとの時間間隔に基づいて、前記複数の表示モードの中からいずれかの表示モードを指示表示モードとして選択する表示モード選択部と、
前記表示モード選択部によって選択された指示表示モードによる画像表示が行われるように、前記複数の表示モードの切り替えを制御する表示モード切替制御部と
を備えることを特徴とする、表示装置。
【請求項２】
前記第１のタイミングと前記第２のタイミングとの時間間隔として取り得る値の範囲が予め複数の区間に区切られ、各区間は前記複数の表示モードのいずれかに予め対応付けられ、
前記表示モード選択部は、前記第１のタイミングと前記第２のタイミングとの時間間隔を示す値を含む区間と対応付けられている表示モードを前記指示表示モードとして選択することを特徴とする、請求項１に記載の表示装置。
【請求項３】
前記第１のタイミングと前記第２のタイミングとの時間間隔は、前記同期信号の同期幅に相当することを特徴とする、請求項１または２に記載の表示装置。
【請求項４】
前記表示モード選択部は、所定のクロック信号のクロックパルスのうち前記第１のタイミングと前記第２のタイミングとの間に発生するクロックパルスの数をカウントすることにより前記第１のタイミングと前記第２のタイミングとの時間間隔を取得することを特徴とする、請求項１から３までのいずれか１項に記載の表示装置。
【請求項５】
前記表示モード選択部は、
前記同期信号のレベルの変化に基づいて前記第１のタイミングを取得する変化タイミング取得部と、
前記同期信号のレベルを取得する同期信号レベル取得部と、
前記変化タイミング取得部によって取得された前記第１のタイミングと前記同期信号レベル取得部によって取得された前記同期信号のレベルとに基づいて、前記第１のタイミングと前記第２のタイミングとの時間間隔を表示モード決定用時間間隔として取得する表示モード決定用時間間隔取得部と、
前記表示モード決定用時間間隔取得部によって取得された表示モード決定用時間間隔に基づいて、前記指示表示モードを示す表示モード指示信号を出力する表示モード指示信号出力部と
を含み、
前記表示モード切替制御部は、前記表示モード指示信号出力部から出力される表示モード指示信号に基づいて、前記複数の表示モードの切り替えを制御することを特徴とする、請求項３に記載の表示装置。
【請求項６】
複数の表示モードを有する表示装置における表示モードの切替方法であって、
画像表示のための１または複数の同期信号のレベルが変化するタイミングのうちの所定の２つのタイミングである第１のタイミングと第２のタイミングとの時間間隔に基づいて、前記複数の表示モードの中からいずれかの表示モードを指示表示モードとして選択する表示モード選択ステップと、
前記表示モード選択ステップで選択された指示表示モードによる画像表示が行われるように、前記複数の表示モードの切り替えを制御する表示モード切替制御ステップと
を備えることを特徴とする、表示モードの切替方法。
【請求項７】
前記第１のタイミングと前記第２のタイミングとの時間間隔として取り得る値の範囲が予め複数の区間に区切られ、各区間は前記複数の表示モードのいずれかに予め対応付けられ、
前記表示モード選択ステップでは、前記第１のタイミングと前記第２のタイミングとの時間間隔を示す値を含む区間と対応付けられている表示モードが前記指示表示モードとして選択されることを特徴とする、請求項６に記載の表示モードの切替方法。
【請求項８】
前記第１のタイミングと前記第２のタイミングとの時間間隔は、前記同期信号の同期幅に相当することを特徴とする、請求項６または７に記載の表示モードの切替方法。
【請求項９】
前記表示モード選択ステップでは、所定のクロック信号のクロックパルスのうち前記第１のタイミングと前記第２のタイミングとの間に発生するクロックパルスの数をカウントすることにより前記第１のタイミングと前記第２のタイミングとの時間間隔が取得されることを特徴とする、請求項６から８までのいずれか１項に記載の表示モードの切替方法。
【請求項１０】
前前記表示モード選択ステップは、
前記同期信号のレベルの変化に基づいて前記第１のタイミングを取得する変化タイミング取得ステップと、
前記同期信号のレベルを取得する同期信号レベル取得ステップと、
前記変化タイミング取得ステップで取得された前記第１のタイミングと前記同期信号レベル取得ステップで取得された前記同期信号のレベルとに基づいて、前記第１のタイミングと前記第２のタイミングとの時間間隔を表示モード決定用時間間隔として取得する表示モード決定用時間間隔取得ステップと、
前記表示モード決定用時間間隔取得ステップで取得された表示モード決定用時間間隔に基づいて、前記指示表示モードを示す表示モード指示信号を出力する表示モード指示信号出力ステップと
を含み、
前記表示モード切替制御ステップでは、前記表示モード指示信号出力ステップで出力された表示モード指示信号に基づいて、前記複数の表示モードの切り替えが制御されることを特徴とする、請求項８に記載の表示モードの切替方法。
【発明の詳細な説明】
【技術分野】
【０００１】
本発明は、表示装置に関し、更に詳しくは、表示モードを切り替えつつ画像を表示することのできる表示装置に関する。
【背景技術】
【０００２】
従来より、表示モードを切り替えつつ画像を表示することが可能な液晶表示装置等の表示装置が知られている。このような表示装置においては、階調カーブ（階調値と輝度値との関係を表す曲線）や色味の異なる複数の表示モードが予め用意され、使用環境や用途に応じて好適な表示モードによる画像表示が行われる。図８は、表示モードによる階調カーブの違いを説明するための図である。ノーマルモードにおいては、ガンマ値が「２．２」となるように、階調値と輝度値とが対応付けられている。映画鑑賞モード（ＡＶモード）では、中間階調での輝度の変化が大きくなっている。例えば、ＤＶＤ（Ｄｉｇｉｔａｌ  Ｖｅｒｓａｔｉｌｅ  Ｄｉｓｃ）による映画の再生が行われる際には、この映画鑑賞モードによる画像表示が行われ、コントラストが強調され、くっきりとした映像が表示される。低消費電力モードでは、ノーマルモードと比べて全体的に輝度が小さくなっている。例えば、バッテリーによって駆動される際には、この低消費電力モードによる画像表示が行われ、消費電力が低減されている。
【０００３】
ところで、複数の表示モードによる画像表示を実現するために、表示装置には、表示モードを指示するための信号（以下、「表示モード指示信号」という。）が外部から与えられなければならない。このため、表示モード指示信号を外部から表示装置に与えるための信号配線が必要となる。このとき、予め用意される表示モードの数が多くなるほど、表示モード指示信号の伝送に必要な信号配線の数も多くなる。従って、表示モードの数が多くなるにつれて、実装面積が増大し、コストも上昇する。
【０００４】
図９は、従来例における、複数の表示モードによる画像表示が可能な表示装置の全体構成を示すブロック図である。図９に示すように、この表示装置は、制御回路９１０と駆動回路９２０と表示部９３０とから構成されている。制御回路９１０は、外部の信号源９００から送られる各種信号に基づいて駆動回路９２０の動作を制御する。駆動回路９２０は、制御回路９１０から送られる信号に基づいて、表示部９３０を駆動する。ここで、信号源９００と制御回路９１０との間には、表示モード指示信号ＳＭを伝達するための信号配線（以下、「表示モード切替配線」という。）が設けられている。
【０００５】
ところが、図９に示す構成によると、上述したように、予め用意される表示モードの数が多くなるにつれて、必要な表示モード切替配線の数も多くなる。そこで、特開昭６２−２３１２８９号公報には、外部から与えられる表示モード指示信号ＳＭに代えて水平同期信号ＨＳＹＮＣの極性に基づいて表示モードの切り替えが行われる表示装置の発明が開示されている。図１０は、特開昭６２−２３１２８９号公報に開示された表示装置の全体構成を示すブロック図である。図１０に示すように、この表示装置には、信号源９０１から送られる水平同期信号ＨＳＹＮＣに基づいて（表示装置の内部で）表示モード指示信号ＳＭを生成する極性判定回路９３１が設けられている。この極性判定回路９３１は、非表示期間における水平同期信号ＨＳＹＮＣの極性に応じて、表示モード指示信号ＳＭを生成する。そして、その表示モード指示信号ＳＭに基づく表示モードで画像表示が行われる。以上のようにして、特開昭６２−２３１２８９号公報に開示された表示装置においては、信号源９０１と制御回路９１１との間に表示モード切替配線を備えることなく、表示モードの切り替えが行われている。
【特許文献１】特開昭６２−２３１２８９号公報
【発明の開示】
【発明が解決しようとする課題】
【０００６】
ところが、上記特開昭６２−２３１２８９号公報に開示された表示装置によると、水平同期信号ＨＳＹＮＣの極性は正極性もしくは負極性のいずれかであるので、２つの表示モード間での切り替えは可能となるが、３つ以上の表示モードを切り替えることはできない。また、ｎ個の同期信号の極性に基づいて表示モードが決定される構成にした場合には、切り替え可能な最大の表示モードの数は「２のｎ乗」である。このため、多数の表示モードを有する表示装置においては、従来より使用されている同期信号だけでは不足することがある。
【０００７】
そこで本発明は、回路規模を増大させることなく、多数の表示モードの切り替えが可能な表示装置を提供することを目的とする。
【課題を解決するための手段】
【０００８】
第１の発明は、複数の表示モードを有し、表示モードを切り替えつつ画像を表示することが可能な表示装置であって、
画像表示のための１または複数の同期信号のレベルが変化するタイミングのうちの所定の２つのタイミングである第１のタイミングと第２のタイミングとの時間間隔に基づいて、前記複数の表示モードの中からいずれかの表示モードを指示表示モードとして選択する表示モード選択部と、
前記表示モード選択部によって選択された指示表示モードによる画像表示が行われるように、前記複数の表示モードの切り替えを制御する表示モード切替制御部と
を備えることを特徴とする。
【０００９】
第２の発明は、第１の発明において、
前記第１のタイミングと前記第２のタイミングとの時間間隔として取り得る値の範囲が予め複数の区間に区切られ、各区間は前記複数の表示モードのいずれかに予め対応付けられ、
前記表示モード選択部は、前記第１のタイミングと前記第２のタイミングとの時間間隔を示す値を含む区間と対応付けられている表示モードを前記指示表示モードとして選択することを特徴とする。
【００１０】
第３の発明は、第１または第２の発明において、
前記第１のタイミングと前記第２のタイミングとの時間間隔は、前記同期信号の同期幅に相当することを特徴とする。
【００１１】
第４の発明は、第１から第３までのいずれかの発明において、
前記表示モード選択部は、所定のクロック信号のクロックパルスのうち前記第１のタイミングと前記第２のタイミングとの間に発生するクロックパルスの数をカウントすることにより前記第１のタイミングと前記第２のタイミングとの時間間隔を取得することを特徴とする。
【００１２】
第５の発明は、第３の発明において、
前記表示モード選択部は、
前記同期信号のレベルの変化に基づいて前記第１のタイミングを取得する変化タイミング取得部と、
前記同期信号のレベルを取得する同期信号レベル取得部と、
前記変化タイミング取得部によって取得された前記第１のタイミングと前記同期信号レベル取得部によって取得された前記同期信号のレベルとに基づいて、前記第１のタイミングと前記第２のタイミングとの時間間隔を表示モード決定用時間間隔として取得する表示モード決定用時間間隔取得部と、
前記表示モード決定用時間間隔取得部によって取得された表示モード決定用時間間隔に基づいて、前記指示表示モードを示す表示モード指示信号を出力する表示モード指示信号出力部と
を含み、
前記表示モード切替制御部は、前記表示モード指示信号出力部から出力される表示モード指示信号に基づいて、前記複数の表示モードの切り替えを制御することを特徴とする。
【００１３】
第６の発明は、複数の表示モードを有する表示装置における表示モードの切替方法であって、
画像表示のための１または複数の同期信号のレベルが変化するタイミングのうちの所定の２つのタイミングである第１のタイミングと第２のタイミングとの時間間隔に基づいて、前記複数の表示モードの中からいずれかの表示モードを指示表示モードとして選択する表示モード選択ステップと、
前記表示モード選択ステップで選択された指示表示モードによる画像表示が行われるように、前記複数の表示モードの切り替えを制御する表示モード切替制御ステップと
を備えることを特徴とする。
【００１４】
また、第６の発明において実施形態および図面を参照することにより把握される変形例が、課題を解決するための手段として考えられる。
【発明の効果】
【００１５】
上記第１の発明によれば、同期信号のレベルが変化する複数のタイミングのうちの所定の２つのタイミングの時間間隔に基づいて、予め用意されている複数の表示モードの中から画像表示の際の表示モードが選択される。このため、上記タイミングをずらすだけで、表示装置において表示モードが切り替えられる。従って、表示モードの切り替え用の信号配線を備えることなく、表示装置において複数の表示モードの切り替えが行われる。
【００１６】
上記第２の発明によれば、上記２つのタイミングの時間間隔として取り得る値の範囲が複数の区間に区切られ、各区間は複数の表示モードのいずれかに予め対応付けられている。このため、上記複数の区間と表示モードとの対応付けに従って上記２つのタイミングを調整することにより、表示装置において所望の表示モードによる画像表示が行われる。
【００１７】
上記第３の発明によれば、同期信号の同期幅に基づいて、画像表示の際の表示モードが選択される。このため、表示モードの切り替え用の信号配線を備えることなく、比較的容易に、表示装置において複数の表示モードの切り替えが行われる。
【００１８】
上記第４の発明によれば、上記２つのタイミングの時間間隔は、クロック信号のパルス数をカウントすることによって取得される。このため、簡易な構成により、上記時間間隔が取得される。
【００１９】
上記第５の発明によれば、上記第３の発明と同様、表示モードの切り替え用の信号配線を備えることなく、比較的容易に、表示装置において複数の表示モードの切り替えが行われる。
【発明を実施するための最良の形態】
【００２０】
以下、添付図面を参照しつつ本発明の一実施形態について説明する。
【００２１】
＜１．全体構成および動作＞
図２は、本発明の一実施形態に係る液晶表示装置の全体構成を示すブロック図である。この液晶表示装置は、表示部１００と、表示モード選択部としての表示制御回路２００と、ソースドライバ（映像信号線駆動回路）３００と、ゲートドライバ（走査信号線駆動回路）４００と、表示モード選択部としての同期幅判定回路５００とを備えている。
【００２２】
表示部１００には、複数本（ｎ本）のソースバスライン（映像信号線）ＳＬ１〜ＳＬｎと、複数本（ｍ本）のゲートバスライン（走査信号線）ＧＬ１〜ＧＬｍと、それら複数本のソースバスラインＳＬ１〜ＳＬｎと複数本のゲートバスラインＧＬ１〜ＧＬｍとの交差点にそれぞれ対応して設けられた複数個（ｎ×ｍ個）の画素形成部が含まれている。これらの画素形成部はマトリクス状に配置されて画素アレイを構成し、各画素形成部は、対応する交差点を通過するゲートバスラインにゲート端子が接続されると共に当該交差点を通過するソースバスラインにソース端子が接続されたスイッチング素子であるＴＦＴ１０と、そのＴＦＴ１０のドレイン端子に接続された画素電極と、上記複数個の画素形成部に共通的に設けられた対向電極である共通電極Ｅｃと、上記複数個の画素形成部に共通的に設けられ画素電極と共通電極Ｅｃとの間に挟持された液晶層とからなる。そして、画素電極と共通電極Ｅｃとにより形成される液晶容量により、画素容量Ｃｐが構成される。
【００２３】
同期幅判定回路５００は、外部の信号源８００から送られるクロック信号ＣＬＫと水平同期信号ＨＳＹＮＣとを受け取り、当該水平同期信号ＨＳＹＮＣの同期幅（同期を取るために信号レベルが変化した時点からその変化後の信号レベルが維持されている期間）を検出する。そして、同期幅判定回路５００は、その検出された同期幅に基づいて表示モードを選択し、当該選択された表示モード（指示表示モード）による画像表示が行われるよう表示制御回路２００を動作させるための表示モード指示信号ＳＭＯＤを出力する。なお、この同期幅判定回路５００の詳しい構成および動作については後述する。
【００２４】
表示制御回路２００は、外部の信号源８００から送られる画像信号ＤＡＴ、クロック信号ＣＬＫ、水平同期信号ＨＳＹＮＣ、垂直同期信号ＶＳＹＮＣ、データイネーブル信号ＤＥと、同期幅判定回路５００から送られる表示モード指示信号ＳＭＯＤとを受け取り、デジタル映像信号ＤＶと、表示部１００における画像表示を制御するためのソーススタートパルス信号ＳＳＰ、ソースクロック信号ＳＣＫ、ラッチストローブ信号ＬＳ、ゲートスタートパルス信号ＧＳＰ、およびゲートクロック信号ＧＣＫとを出力する。ソースドライバ３００は、表示制御回路２００から出力されるデジタル映像信号ＤＶ、ソーススタートパルス信号ＳＳＰ、ソースクロック信号ＳＣＫ、およびラッチストローブ信号ＬＳを受け取り、各ソースバスラインＳＬ１〜ＳＬｎに駆動用映像信号Ｓ（１）〜Ｓ（ｎ）を印加する。ゲートドライバ４００は、表示制御回路２００から出力されるゲートスタートパルス信号ＧＳＰとゲートクロック信号ＧＣＫとに基づいて、アクティブな走査信号Ｇ（１）〜Ｇ（ｍ）の各ゲートバスラインＧＬ１〜ＧＬｍへの印加を１垂直走査期間を周期として繰り返す。
【００２５】
以上のような構成によって、各ソースバスラインＳＬ１〜ＳＬｎに駆動用映像信号が印加され、各ゲートバスラインＧＬ１〜ＧＬｍに走査信号が印加されることにより、表示モードに応じた画像表示が行われる。
【００２６】
図３は、この液晶表示装置の動作の概要について説明するためのタイミングチャートである。この液晶表示装置においては、ゲートバスラインＧＬ１〜ＧＬｍの走査に関する同期を取るために、図３（ａ）に示すような波形の水平同期信号ＨＳＹＮＣが外部の信号源８００から与えられる。水平同期信号ＨＳＹＮＣはデジタル信号である。すなわち、水平同期信号ＨＳＹＮＣの取り得る値は、ハイレベルの値もしくはローレベルの値である。図３（ａ）に示すように、各水平走査期間の開始時点において、水平同期信号ＨＳＹＮＣの論理レベルはハイレベルからローレベルに変化する。そして、水平同期信号ＨＳＹＮＣの論理レベルがローレベルになっている状態が、期間Ｔａだけ維持される。水平同期信号ＨＳＹＮＣの論理レベルがローレベルからハイレベルに変化すると、次の水平走査期間の開始時点まで、水平同期信号ＨＳＹＮＣの論理レベルがハイレベルになっている状態が維持される。なお、本実施形態においては、水平同期信号ＨＳＹＮＣの論理レベルがハイレベルからローレベルに変化する時点が第１のタイミングに相当し、水平同期信号ＨＳＹＮＣの論理レベルがローレベルからハイレベルに変化する時点が第２のタイミングに相当する。
【００２７】
また、図３（ｂ）はデータイネーブル信号ＤＥの波形を示し、図３（ｃ）は画像信号ＤＡＴの波形を示している。各水平走査期間において、データイネーブル信号ＤＥの論理レベルがハイレベルになっている期間Ｔｃの画像信号ＤＡＴの値（ＲＧＢ各色についての階調値）に基づいて、画像表示が行われる。
【００２８】
なお、水平同期信号ＨＳＹＮＣの論理レベルがローレベルで維持されている期間Ｔａのように、同期を取るために同期信号の論理レベルが通常時とは異なる論理レベルで維持される期間に相当する信号幅のことは「同期幅」とも呼ばれている。以下においては、水平同期信号ＨＳＹＮＣの同期幅のことを「水平同期幅」という。また、データイネーブル信号ＤＥの論理レベルがハイレベルで維持されている期間Ｔｃのことを「表示期間」ともいう。また、図３において符号Ｔｂで示す期間のことは「バックポーチ」、符号Ｔｄで示す期間のことは「フロントポーチ」と呼ばれている。
【００２９】
図４は、本実施形態における表示モードについて説明するための図である。本実施形態においては、図４に示すように、上述した水平同期幅Ｔａの長さ（クロック）として取り得る値の範囲が複数の区間に区切られ、各区間はいずれかの表示モードに対応付けられている。これにより、水平同期幅Ｔａの長さ（クロック）に基づいて、表示モード（指示表示モード）が決定される。例えば、水平同期幅Ｔａが５１〜１００クロックの範囲内であれば映画鑑賞モードによる画像表示が行われる。なお、この液晶表示装置において表示モードの切り替えが適当に行われるよう、選択されるべき表示モードに応じたクロックの水平同期幅Ｔａを有する水平同期信号ＨＳＹＮＣが外部から与えられることが前提となる。
【００３０】
＜２．同期幅判定回路の構成および動作＞
次に、同期幅判定回路５００の構成および動作について説明する。図１は、本実施形態において、同期幅判定回路５００の詳細な構成を示すブロック図である。同期幅判定回路５００には、立ち下がりエッジ検出回路５１０と極性判定回路５２０と同期幅カウンタ５３０とカウンタ数値判定回路５４０とが含まれている。なお、本実施形態においては、立ち下がりエッジ検出回路５１０によって変化タイミング取得部が実現され、極性判定回路５２０によって同期信号レベル取得部が実現され、同期幅カウンタ５３０によって表示モード決定用間隔取得部が実現され、カウンタ数値判定回路５４０によって表示モード指示信号出力部が実現されている。
【００３１】
立ち下がりエッジ検出回路５１０は、水平同期信号ＨＳＹＮＣの論理レベルがハイレベルからローレベルに変化するタイミングを検出し、立ち下がりエッジ信号Ｅｄｏｗｎを出力する。具体的には、図５（ａ）〜（ｃ）に示すように、水平同期信号ＨＳＹＮＣの論理レベルがハイレベルからローレベルに変化すると、クロック信号ＣＬＫのクロックパルスに同期して立ち下がりエッジ信号Ｅｄｏｗｎのパルスが出力される。
【００３２】
極性判定回路５２０は、クロック信号ＣＬＫのクロックパルスのタイミングで水平同期信号ＨＳＹＮＣの論理レベル（極性）を検出し、当該論理レベルを示す信号を極性信号Ｋとして出力する。
【００３３】
同期幅カウンタ５３０は、エッジ検出回路５１０から出力される立ち下がりエッジ信号Ｅｄｏｗｎと、極性判定回路５２０から出力される極性信号Ｋと、外部から送られるクロック信号ＣＬＫとを受け取り、水平同期幅Ｔａのクロック数を示すカウント値ＣＮＴを出力する。図６は、同期幅カウンタ５３０の動作を説明するためのタイミングチャートである。同期幅カウンタ５３０はクロック信号ＣＬＫのクロックパルスのタイミングでカウント値ＣＮＴを１ずつ加算しているところ、図６（ａ）に示すような立ち下がりエッジ信号ＥｄｏｗｎのパルスＰが同期幅カウンタ５３０に与えられると、カウント値ＣＮＴはリセットされる。ここで、クロック信号ＣＬＫのクロックパルスが生じた時の極性信号Ｋの論理レベルがハイレベルであればカウント値ＣＮＴは１ずつ加算され、クロックパルスが生じた時の極性信号Ｋの論理レベルがローレベルであればカウント値ＣＮＴは維持される。従って、図６（ｂ）および（ｃ）に示すように、極性信号Ｋの論理レベルがローレベルの期間にはカウント値ＣＮＴは１ずつ加算され、極性信号Ｋの論理レベルがローレベルからハイレベルに変化した後にはカウント値ＣＮＴは維持される。同期幅カウンタ５３０でカウントされた表示モード決定用時間間隔としてのカウント値ＣＮＴは、カウンタ数値判定回路５４０に与えられる。
【００３４】
カウンタ数値判定回路５４０は、同期幅カウンタ５３０から出力されたカウント値ＣＮＴを受け取り、図４に示したように当該カウント値ＣＮＴと対応付けられている表示モードによる画像表示が行われるよう表示制御回路２００を動作させるための表示モード指示信号ＳＭＯＤを出力する。図７は、表示モード指示信号ＳＭＯＤについて説明するための図である。例えば、８個の表示モードが用意されているときには、図７に示すように表示モード指示信号ＳＭＯＤは３ビットで構成される。そして、その表示モード指示信号ＳＭＯＤの各ビットの値は、上述した水平同期幅Ｔａの長さ（クロック）に基づいて決定される。図７に示す例の場合、例えば、水平同期幅Ｔａの長さが８０クロックであれば、表示モード指示信号ＳＭＯＤの１ビット目および２ビット目は「０」にされ、３ビット目は「１」にされる。また、例えば、水平同期幅Ｔａの長さが２９０クロックであれば、表示モード指示信号ＳＭＯＤの２ビット目は「０」にされ、１ビット目および３ビット目は「１」にされる。
【００３５】
＜３．作用および効果＞
本実施形態によると、同期幅判定回路５００内の立ち下がりエッジ検出回路５１０において、外部から送られる水平同期信号ＨＳＹＮＣの立ち下がりエッジが検出される。また、極性判定回路５２０では、水平同期信号ＨＳＹＮＣの論理レベル（極性）の判定が行われる。同期幅カウンタ５３０では、水平同期信号ＨＳＹＮＣの立ち下がり時点にカウント値ＣＮＴがクリアされ、その後、水平同期信号ＨＳＹＮＣの論理レベルがハイレベルからローレベルに変化する時点までカウント値ＣＮＴは１ずつ加算される。そして、同期幅カウンタ５３０から出力されるカウント値ＣＮＴは、カウンタ数値判定回路５４０に与えられる。カウンタ数値判定回路５４０では、同期幅カウンタ５３０から出力されたカウント値ＣＮＴに応じて、表示モード指示信号ＳＭＯＤの各ビットの値が決定される。その表示モード指示信号ＳＭＯＤは、カウンタ数値判定回路５４０から出力され、表示制御回路２００に与えられる。そして、表示制御回路２００が表示モード指示信号ＳＭＯＤに基づいて動作することにより、所望の表示モードによる画像表示が行われる。
【００３６】
以上のように、本実施形態においては、画像表示の際の表示モードは水平同期幅Ｔａの長さ（クロック）に基づいて選択（決定）される。これにより、外部からこの液晶表示装置に与える水平同期信号ＨＳＹＮＣの同期幅の長さを変えるだけで、表示モードの切り替えが行われる。このため、或る表示モードから別の表示モードへの切り替えを行うために、外部の信号源８００と液晶表示装置との間に上述したような表示モード切替配線を備える必要はない。
【００３７】
また、１つの表示モードに対応付けられる水平同期幅Ｔａのクロックの範囲を狭くすることによって、多数の表示モードと水平同期幅Ｔａとの対応付けが行われる。このため、外部の信号源８００と液晶表示装置との間に多数の表示モード切替配線を備えることなく、すなわち、回路規模を増大させることなく、多数の表示モードの切り替えが可能な液晶表示装置が実現される。これにより、多数の表示モードの切り替えが可能な液晶表示装置が低コストで実現される。
【００３８】
＜４．変形例＞
上記実施形態においては、水平同期信号ＨＳＹＮＣの同期幅（水平同期幅）に基づいて表示モードの切り替えが行われているが、本発明はこれに限定されない。水平同期信号ＨＳＹＮＣの同期幅に代えて垂直同期信号ＶＳＹＮＣの同期幅やデータイネーブル信号ＤＥの同期幅に基づいて表示モードの切り替えが行われる構成にしても良い。また、これらの同期信号の複数の組み合わせに基づいて表示モードの切り替えが行われる構成にしても良い。
【００３９】
また、外部の信号源８００からこの液晶表示装置への信号の伝送に関し、ＬＶＤＳ方式（Ｌｏｗ  Ｖｏｌｔａｇｅ  Ｄｉｆｆｅｒｅｎｔｉａｌ  Ｓｉｇｎａｌｉｎｇ：低電圧差動信号方式）を採用することもできる。ＬＶＤＳ方式を採用すると、ノイズが低減し、高速なデータ伝送が可能になるとともに消費電力が低減される。このため、様々な表示モードを有する液晶表示装置においては、ＬＶＤＳ方式を採用することによる効果がより得られやすい。
【００４０】
さらに、上記実施形態においては、図４や図７に示したように５０クロック間隔で表示モードが割り当てられているが、本発明はこれに限定されない。例えば１クロック間隔で表示モードが割り当てられても良いし、例えば「５１〜１００クロックは映画鑑賞モード、１０１〜１１０クロックは低消費電力モード」というように表示モード毎にクロックの間隔が異なっていても良い。これにより、より多数の表示モードによる切り替えが可能となる。
【００４１】
さらにまた、上記実施形態においては液晶表示装置を例に挙げて説明したが、本発明はこれに限定されない。プラズマ表示装置や有機ＥＬ表示など液晶表示装置以外の表示装置にも本発明を適用することができる。
【図面の簡単な説明】
【００４２】
【図１】本発明の一実施形態に係る液晶表示装置において、同期幅判定回路の構成を示すブロック図である。
【図２】上記実施形態に係る液晶表示装置の全体構成を示すブロック図である。
【図３】上記実施形態において、動作の概要を説明するためのタイミングチャートである。
【図４】上記実施形態における表示モードについて説明するための図である。
【図５】上記実施形態において、エッジ検出回路の動作を説明するためのタイミングチャートである。
【図６】上記実施形態において、同期幅カウンタの動作を説明するためのタイミングチャートである。
【図７】上記実施形態において、カウンタ数値判定回路の動作を説明するための図である。
【図８】表示モードによる階調カーブの違いを説明するための図である。
【図９】従来例において、表示装置の構成の一例を示すブロック図である。
【図１０】従来例において、表示装置の構成の別の例を示すブロック図である。
【符号の説明】
【００４３】
１００…表示部
２００…表示制御回路
５００…同期幅判定回路
５１０…立ち下がりエッジ検出回路
５２０…極性判定回路
５３０…同期幅カウンタ
５４０…カウンタ数値判定回路
ＣＬＫ…クロック信号
ＨＳＹＮＣ…水平同期信号
ＳＭＯＤ…表示モード指示信号
Ｔａ…水平同期幅
【図１】
2009037028.tif 000003
【図２】
2009037028.tif 000004
【図３】
2009037028.tif 000005
【図４】
2009037028.tif 000006
【図５】
2009037028.tif 000007
【図６】
2009037028.tif 000008
【図７】
2009037028.tif 000009
【図８】
2009037028.tif 000010
【図９】
2009037028.tif 000011
【図１０】
2009037028.tif 000012